(57)【要約】【課題】交通規制標識を従来よりも大きくでき、道路状況に応じて上台座３を適当な角度回転させることができ、交通規制標識の高さが段階式に高くなるようにして通行者１０にとって見やすくなる、交通規制標識車６の荷台７に装着する回転式交通規制標識装置を提供する。【解決手段】回転軸１を設けた基礎台座２に、交通規制標識車６の荷台７に装着する装着手段を設ける。回転軸１を設けた上台座３に、交通規制標識４を取り付ける交通規制標識取り付け手段を設ける。上台座３に回転防止のストッパー５を設ける。交通規制標識車６の後部から前部方向に、交通規制標識の高さが段階式に高くなるように、複数の交通規制標識４ａ，４ｂ，４ｃ・・を取り付ける。【選択図】  図５
2004309992.tif 000002
【特許請求の範囲】
【請求項１】
下記の要件を備えて成ることを特徴とする交通規制標識車６の荷台７に装着する回転式交通規制標識装置。
（イ）回転軸１を設けた基礎台座２に、交通規制標識車６の荷台７に装着する装着手段を設ける。
（ロ）回転軸１を設けた上台座３に、交通規制標識４を取り付ける交通規制標識取り付け手段を設ける。
（ハ）上台座３に回転防止のストッパー５を設ける。
【請求項２】
交通規制標識車６の後部から前部方向に、交通規制標識の高さが段階式に高くなるように、複数の交通規制標識４ａ，４ｂ，４ｃ・・を取り付けた請求項１の交通規制標識車６の荷台７に装着する回転式交通規制標識装置。
【発明の詳細な説明】
【０００１】
【発明の属する技術分野】
この発明は、道路工事中、通行者１０特に運転者に注意を促して交通安全を確保するための交通規制標識車６の荷台７に装着する回転式交通規制標識装置に関するものである。
【０００２】
【従来の技術】
従来の交通規制標識車６の荷台７に装着する交通規制標識装置は、図１のように、回転せず、交通規制標識車６後方から向かってくる通行者１０に交通規制標識４を向けたままのものであった。
【０００３】
【発明が解決しようとする課題】
これには次のような欠点があった。
（イ）交通規制標識４は、小さいより大きい方が通行者１０にとって見やすいが、図２のように、交通規制標識車６の荷台７の横幅の制限を受けた大きさしか使えない。
（ロ）図３のように、交通規制標識車６の後方から向かってくる通行者１０に注意を促す場合は、交通規制標識車６を通行方向に道路に横付けしても、交通規制標識４は通行者１０から見える。
しかし、図４のようなＴ字路の工事の場合、交通規制標識４を通行者１０から見えるようにするためには、交通規制標識車６を図３のときの位置より９０度回転しなければならないため、道路の路肩部を広く使用することになり、道路の路肩部が狭いところでは、通行者１０に交通規制標識４を見せることが困難になる。
（ハ）交通規制標識４は、低いより高い方が、通行者１０にとって見やすいが、図２のように、一定の高さの交通規制標識４を１枚しか取り付けていない。
【０００４】
【課題を解決するための手段】
これらの欠点を取り除くために、下記の要件を備えて成ることを特徴とする交通規制標識車６の荷台７に装着する回転式交通規制標識装置を発明した。
（イ）回転軸１を設けた基礎台座２に、交通規制標識車６の荷台７に装着する装着手段を設ける。
（ロ）回転軸１を設けた上台座３に、交通規制標識４を取り付ける交通規制標識取り付け手段を設ける。
（ハ）上台座３に回転防止のストッパー５を設ける。
【請求項２】
交通規制標識車６の後部から前部方向に、交通規制標識の高さが段階式に高くなるように、複数の交通規制標識４ａ，４ｂ，４ｃ・・を取り付けた請求項１の交通規制標識車６の荷台７に装着する回転式交通規制標識装置。
【０００５】
【発明の実施の形態】
以下、本発明の実施の形態を、図面に基づいて説明する。
まず、請求項１について説明する。回転軸１を設けた基礎台座２に、交通規制標識車６の荷台７に装着する装着手段を設ける。
基礎台座２を載せる金属製の盤を荷台７に溶接するか、あるいは、荷台７に基礎台座２を載せる金属製の枠を設けるなどして、盤や枠を荷台７に固定させる。
次に、基礎台座２を盤や枠に止め具や溶接などして固定させる。
【０００６】
回転軸１を設けた上台座３に、交通規制標識４を取り付ける交通規制標識取り付け手段を設ける。
交通規制標識４を取り付けるための金属製の交通規制標識受け枠を上台座３に溶接するか、止め具で固定させる。
次に、交通規制標識４を交通規制標識受け枠に止め具や溶接などして固定させる。
【０００７】
上台座３に回転防止のストッパー５を設ける。ストッパー５は、上台座３の回転を防止するためのもので、基礎台座２あるいは盤や枠を利用して設ける。
【０００８】
次に、請求項２について説明する。
交通規制標識車６の後部から前部方向に、交通規制標識の高さが段階式に高くなるように、複数の交通規制標識４ａ，４ｂ，４ｃ・・を取り付けた請求項１の交通規制標識車６の荷台７に装着する回転式交通規制標識装置。
請求項１で説明した交通規制標識受け枠を複数用意し、そこに交通規制標識を段階式に高くなるように配置し、溶接するか、止め具で固定させる。
【０００９】
【発明の効果】
本発明を使用することによって、次のような効果を生む。
まず、請求項１による効果を説明する。
（イ）交通規制標識車６を使用しないときは、交通規制標識４は図８の状態にあるので、交通規制標識４が荷台７からはみ出ることはなく、交通規制標識車６の移動が容易である。
（ロ）交通規制標識４を交通規制標識車６の荷台７の縦幅までに拡大できるので、荷台７の横幅に比べると大きい交通規制標識４が作成でき、通行者１０が遠くからでも見やすくなり、交通安全に貢献できる。
（ハ）図３のように、交通規制標識車６の後方から向かってくる通行者１０に注意を促す場合は、交通規制標識車６を通行方向に道路に横付けして、上台座３を９０度回転させるだけで、交通規制標識４は通行者１０から見え、交通安全に貢献できる。
（ニ）図４のようなＴ字路の工事の場合、上台座３を道路状況に応じて適当な角度回転させれば、交通規制標識４を通行者１０からよく見えるようにできる。特に、道路の路肩部が狭いところでも、通行者１０に交通規制標識４を見せることが容易になり、交通安全に貢献できる。
【００１０】
次に、請求項２による効果を説明する。
（ホ）交通規制標識４ａ，４ｂ，４ｃ・・を、交通規制標識車６の後部から前部方向に、交通規制標識４の高さが段階式に高くなるように取り付けてあるので、通行者１０にとって見やすくなり、交通安全に貢献できる。
【図面の簡単な説明】
【図１】は、従来の交通規制標識車による説明図である。
【図２】は、従来の交通規制標識車の後部図である。
【図３】は、直線道路における従来の交通規制標識車による説明図である。
【図４】は、Ｔ字路における従来の交通規制標識車による説明図である。
【図５】は、本発明の側面図である。
【図６】は、本発明の正面図である。
【図７】は、直線道路における本発明の実施例である。
【図８】は、Ｔ字路における本発明の実施例である。
【符号の説明】
１  回転軸
２  基礎台座
３  上台座
４ａ、４ｂ、４ｃ  交通規制標識
５  ストッパー
６  交通規制標識車
７  荷台
１０  通行者
【図１】
2004309992.tif 000003
【図２】
2004309992.tif 000004
【図３】
2004309992.tif 000005
【図４】
2004309992.tif 000006
【図５】
2004309992.tif 000007
【図６】
2004309992.tif 000008
【図７】
2004309992.tif 000009
【図８】
2004309992.tif 000010